(57)【要約】【課題】遊技盤に複数の表示画面を構成するにあたり、表示パネルの数を削減すると共に、表示制御基板や表示制御プログラムの複雑化を回避し、大幅なコストダウンを可能にする。【解決手段】遊技球が発射される遊技盤４に、画像を表示するための表示パネル２１を備えるパチンコ遊技機１において、遊技盤４の裏側に一つの表示パネル２１を設けると共に、該表示パネル２１の表示画面に複数の表示領域を設定し、各表示領域を、遊技盤４に穿設した複数の表示孔１４ａを介して遊技者に目視させる。【選択図】図４
2007195705.tif 000002
【特許請求の範囲】
【請求項１】
遊技球が発射される遊技盤に、画像を表示するための表示パネルを備える弾球遊技機において、前記遊技盤の裏側に一つの表示パネルを設けると共に、該表示パネルの表示画面に複数の表示領域を設定し、各表示領域を、前記遊技盤に穿設した複数の表示孔を介して遊技者に目視させることを特徴とする弾球遊技機。
【請求項２】
前記遊技盤は、複数の前記表示孔間に遊技球通路を備えることを特徴とする請求項１記載の弾球遊技機。
【発明の詳細な説明】
【技術分野】
【０００１】
本発明は、パチンコ遊技機などの弾球遊技機に関し、特に、遊技球が発射される遊技盤に、画像を表示するための表示パネルを備える弾球遊技機に関する。
【背景技術】
【０００２】
遊技盤に表示パネルを備えるパチンコ遊技機などの弾球遊技機が普及している。この種の弾球遊技機では、表示パネルに、特別図柄（特別図柄に係る演出図柄）、普通図柄などの抽選図柄画像を表示するだけでなく、リーチ予告演出、スーパーリーチ演出、大当り演出などの演出画像を表示することにより、弾球遊技機の遊技性を高めている。また、遊技盤に複数の表示パネルを備える弾球遊技機も提案されている（例えば、特許文献１参照）。このような弾球遊技機によれば、複数の表示パネルによって多様な演出表現が可能になるので、他の弾球遊技機と差別化が図れるという利点がある。
【特許文献１】特開２００３−２６０２４８号公報
【発明の開示】
【発明が解決しようとする課題】
【０００３】
しかしながら、遊技盤に複数の表示パネルを搭載する場合、単に表示パネルのコストが上乗せされるだけでなく、表示制御基板や表示制御プログラムも複雑になり、大幅なコストアップを招来するという問題がある。また、遊技盤に複数の表示パネルを備える弾球遊技機では、複数の表示パネル間で関連性のある画像表示を行うことが可能であるが、このような表示を行う場合には、各表示パネルの表示タイミングを正確に合わせる必要があるので、開発に時間がかかり、コストがさらに上昇するという問題がある。
【課題を解決するための手段】
【０００４】
本発明は、上記の如き実情に鑑みこれらの課題を解決することを目的として創作されたものであって、遊技球が発射される遊技盤に、画像を表示するための表示パネルを備える弾球遊技機において、前記遊技盤の裏側に一つの表示パネルを設けると共に、該表示パネルの表示画面に複数の表示領域を設定し、各表示領域を、前記遊技盤に穿設した複数の表示孔を介して遊技者に目視させることを特徴とする。このようにすると、一つの表示パネルで複数の表示画面を構成し、複数の表示パネルを搭載した弾球遊技機と同等の画像表示を行うことができる。これにより、表示パネルの数を削減できるだけでなく、表示制御基板や表示制御プログラムの複雑化も回避し、大幅なコストダウンが図れる。
また、複数の表示画面間で関連性のある表示を行う場合、各表示画面の表示タイミングを容易かつ正確に合わせることができるので、開発の手間やコストをさらに削減することができる。また、前記遊技盤は、複数の前記表示孔間に遊技球通路を備えることを特徴とする。このようにすると、表示孔間を遊技球が通過するので、各表示画面の独立性を強調することができる。
【発明の効果】
【０００５】
以上のように構成された本発明によれば、一つの表示パネルで複数の表示画面を構成し、複数の表示パネルを搭載した弾球遊技機と同等の画像表示を行うことができるので、表示パネルの数を削減できるだけでなく、表示制御基板や表示制御プログラムの複雑化も回避し、大幅なコストダウンが図れる。また、複数の表示両面間で関連性のある表示を行う場合、各表示画面の表示タイミングを容易かつ正確に合わせることができるので、開発の手間やコストをさらに削減することができる。
【発明を実施するための最良の形態】
【０００６】
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００７】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の制御基板とを備えている。
【０００８】
図３に示すように、遊技盤４は、ベニヤなどの板材１４に、入賞口１５、始動口１６、ゲート口１７、大入賞口１８、アウト口１９、遊技釘２０などを設けて構成されており、遊技盤４に発射された遊技球は、遊技釘２０によって各口１５〜１９に誘導される。また、遊技盤４には、複数の表示画面２１ａ〜２１ｃが構成されており、これらの表示画面２１ａ〜２１ｃには、特別図柄（特別図柄に係る演出図柄）、普通図柄などの抽選図柄画像が表示されるだけでなく、リーチ予告演出、スーパーリーチ演出、大当り演出などの演出画像が表示される。
【０００９】
遊技盤４に複数の表示画面を構成する場合、従来では、遊技盤４の裏側に複数の表示パネルを設けているが、本発明では、遊技盤４の裏側に設けられる一つの表示パネル２１で複数の表示画面２１ａ〜２１ｃを構成している。具体的には、図４及び図５に示すように、表示パネル２１として一つの大型液晶パネルを遊技盤４の裏側に設けると共に、該大型液晶パネルの表示画面に複数の表示領域（表示画面２１ａ〜２１ｃ）を設定し、各表示領域を、遊技盤４の板材１４に穿設した複数の表示孔１４ａを介して遊技者に目視させる。パチンコ遊技機１をこのように構成すると、一つの表示パネル２１で複数の表示画面２１ａ〜２１ｃを構成し、複数の表示パネルを搭載したものと同等の画像表示を行うことができる。
【００１０】
また、本実施形態の遊技盤４では、複数の表示孔１４ａ間に遊技球通路を形成している。例えば、図３に示すように、複数の表示孔１４ａ間に遊技釘２０を配置し、遊技球の誘導を行う。パチンコ遊技機１をこのように構成すると、表示孔１４ａ間を遊技球が通過することによって、各表示画面２１ａ〜２１ｃの独立性を強調することができる。
【００１１】
次に、パチンコ遊技機１の基板構成について、図６を参照して説明する。この図に示すように、パチンコ遊技機１は、少なくとも主基板２２と、該主基板２２からの演出コマンドに応じて、演出処理を行う周辺基板２３とを備えている。本実施形態の主基板２２は、主制御基板２４、払出制御基板２５及び発射モータ制御基板２６を含み、周辺基板２３は、演出図柄表示制御基板２８、音声制御基板２９及びランプ制御基板３０を含んでいる。
【００１２】
払出制御基板２５には、玉切れスイッチ３１、払出センサ３２、払出モータ３３などが接続されており、主制御基板２４からの払出信号に応じて、遊技球の払い出しを行うほか、台間玉貸し機３からの貸出信号に応じて、遊技球の払い出しを行う。また、発射モータ制御基板２６には、発射スイッチ（ハンドル角センサ）３４、タッチセンサ３５、発射モータ１３などが接続されており、発射スイッチ３４及びタッチセンサ３５がＯＮのとき、発射モータ１３を駆動させる。
【００１３】
主制御基板２４には、入賞口１５の入賞を検出する入賞口スイッチＳＷ１、始動口１６の入賞を検出する始動口スイッチＳＷ２、ゲート口１７の通過を検出するゲートスイッチＳＷ３、大入賞口１８の入賞を検出する大入賞口スイッチＳＷ４などのセンサ類と、大入賞口１８を開閉動作させるソレノイドＳＯＬなどのアクチュエータ類と、特別図柄を形式的に表示する特別図柄表示装置３６、特別図柄抽選の保留個数を表示する作動保留記憶装置３７などの表示デバイス類とが接続されている。そして、主制御基板２４は、上記各スイッチＳＷ１〜ＳＷ４の検出信号に応じて、特別図柄抽選処理、特別図柄表示処理、演出コマンド送信処理などを行う。
【００１４】
演出図柄表示制御基板２８には、表示パネル２１が接続されており、主制御基板２４からの演出コマンドに応じて、特別図柄に係る演出図柄などの抽選図柄画像や、リーチ予告演出、スーパーリーチ演出、大当り演出などの演出画像を表示パネル２１に表示させる。また、音声制御基板２９には、スピーカ１０が接続されており、主制御基板２４（又は演出図柄表示制御基板２８）からの演出コマンドに応じて、所定の演出音声をスピーカ１０から出音させる。また、ランプ制御基板３０には、発光表示ランプＬが接続されており、主制御基板２４（又は演出図柄表示制御基板２８）からの演出コマンドに応じて、発光表示ランプＬを点灯動作させる。
【００１５】
次に、演出図柄表示制御基板２８の具体的な構成について、図７を参照して説明する。この図に示すように、演出図柄表示制御基板２８は、コマンド受信回路３８、プログラムＲＯＭ３９、ＲＡＭ４０、ＣＰＵ４１、画像処理ＬＳＩ４２、画像データＲＯＭ４３、ＶＲＡＭ４４、出力インタフェース回路４５などを備えて構成されている。
【００１６】
コマンド受信回路３８は、主制御基板２４からの演出コマンドを受信するための回路であり、受信した演出コマンドは、ＣＰＵ４１に入力される。プログラムＲＯＭ３９は、制御プログラム及び表示データを格納するための読み出し専用メモリであり、ＲＡＭ４０は、作業メモリ領域などを確保するための読み書き自在なメモリである。ＣＰＵ４１は、制御プログラム及び表示データに応じて動作し、画像処理ＬＳＩ４２に対して画像処理に係る指令信号を出力する。
【００１７】
画像処理ＬＳＩ４２は、指令信号に応じて様々な画像処理を実行し、表示パネル２１に抽選図柄やキャラクタを変動表示させる。具体的には、ＣＰＵ４１からの指令信号に応じて、画像データＲＯＭ４３に格納される抽選図柄画像データやキャラクタ画像データを読み出すと共に、読み出した画像データに指定された画像処理を施してＶＲＡＭ４４上に展開し、これを出力インタフェース回路４５に出力することにより、表示パネル２１に抽選図柄やキャラクタを変動表示させる。
【００１８】
遊技盤４に複数の表示画面２１ａ〜２１ｃを構成するにあたり、一つの表示パネル２１で複数の表示画面２１ａ〜２１ｃを構成する本発明のパチンコ遊技機１では、コマンド受信回路３８、プログラムＲＯＭ３９、ＲＡＭ４０、ＣＰＵ４１、画像処理ＬＳＩ４２、画像データＲＯＭ４３、ＶＲＡＭ４４及び出力インタフェース回路４５をそれぞれ一つずつ備える前記の演出図柄表示制御基板２８で複数の表示画面２１ａ〜２１ｃを表示制御可能であるが、遊技盤４に複数の表示パネルを搭載する場合には、画像処理ＬＳＩ４２、画像データＲＯＭ４３、ＶＲＡＭ４４、出力インタフェース回路４５などが複数搭載された表示制御基板が必要になったり、表示制御プログラムが複雑になる。したがって、本発明のパチンコ遊技機１は、遊技盤４に複数の表示画面２１ａ〜２１ｃを構成するものでありながら、演出図柄表示制御基板２８及び表示制御プログラムを簡略化し、大幅なコストダウンが可能になる。
【００１９】
また、本発明のパチンコ遊技機１によれば、複数の表示画面２１ａ〜２１ｃが一つの表示パネル２１で構成されるので、複数の表示画面２１ａ〜２１ｃ間で関連性のある表示を行う場合、各表示画面２１ａ〜２１ｃの表示タイミングを容易かつ正確に合わせることができる。例えば、図５に示すように、下側表示画面２１ｃで蹴られたサッカーボールが左側表示画面２１ａに飛び込み、その後、右側表示画面２１ｂのゴールに入るという演出表示を行う場合、これらの表示を一つの表示パネル２１で表示するので、各表示画面２１ａ〜２１ｃの表示タイミングを容易かつ正確に合わせることができ、その結果、開発の手間やコストをさらに削減することができる。
【００２０】
叙述の如く構成された本実施形態によれば、遊技球が発射される遊技盤４に、画像を表示するための表示パネル２１を備えるパチンコ遊技機１において、遊技盤４の裏側に一つの表示パネル２１を設けると共に、該表示パネル２１の表示画面に複数の表示領域を設定し、各表示領域を、遊技盤４に穿設した複数の表示孔１４ａを介して遊技者に目視させるので、一つの表示パネル２１で複数の表示画面２１ａ〜２１ｃを構成し、複数の表示パネルを搭載したパチンコ遊技機と同等の画像表示を行うことができる。これにより、表示パネル２１の数を削減できるだけでなく、表示制御基板や表示制御プログラムの複雑化も回避し、大幅なコストダウンが図れる。
【００２１】
また、複数の表示画面２１ａ〜２１ｃ間で関連性のある表示を行う場合、各表示画面２１ａ〜２１ｃの表示タイミングを容易かつ正確に合わせることができるので、開発の手間やコストをさらに削減することができる。
【００２２】
また、遊技盤４は、複数の表示孔１４ａ間に遊技球通路を備えるので、表示孔１４ａ間を遊技球が通過することにより、各表示画面２１ａ〜２１ｃの独立性を強調することができる。
【００２３】
尚、本発明は、前記実施形態に限定されないことは勿論であって、特許請求の範囲に記載した範囲内で適宜変更が可能である。例えば、前記実施形態では、一つの表示パネルで三つの表示画面を構成しているが、表示画面を二つにしたり、四つ以上の表示画面を構成してもよい。
【図面の簡単な説明】
【００２４】
【図１】パチンコ遊技機の正面図である。
【図２】パチンコ遊技機の背面図である。
【図３】遊技盤の正面図である。
【図４】遊技盤の分解斜視図である。
【図５】表示パネルの表示例を示す正面図である。
【図６】パチンコ遊技機の基板構成を示すブロック図である。
【図７】演出図柄表示制御基板の構成を示すブロック図である、
【符号の説明】
【００２５】
１      パチンコ遊技機
４      遊技盤
１４    板材
１４ａ  表示孔
２０    遊技釘
２１    表示パネル
２１ａ  表示画面
２１ｂ  表示画面
２１ｃ  表示画面
２８    演出図柄表示制御基板
【図１】
2007195705.tif 000003
【図２】
2007195705.tif 000004
【図３】
2007195705.tif 000005
【図４】
2007195705.tif 000006
【図５】
2007195705.tif 000007
【図６】
2007195705.tif 000008
【図７】
2007195705.tif 000009